(57)【要約】【課題】車両の制御に関わる操作量を補正する学習制御によって、適切な走行状態を早期に達成する。【解決手段】自動運転制御の実行中には、未収束領域（＝未実行領域＋既実行領域）に対応する車両１０の運転状態での走行及び収束領域に対応する車両１０の運転状態での走行のうちで、前記未収束領域に対応する車両１０の運転状態での走行が優先して選択されるので、運転者による車両１０の使用状況に拘わらず、車両１０の制御に関わる操作量を補正する学習制御が学習領域全体に亘って実行され易くなる。よって、車両１０の制御に関わる操作量を補正する学習制御によって、適切な走行状態を早期に達成することができる。【選択図】図８
2020104584.tif 000002
【特許請求の範囲】
【請求項１】
動力源と動力伝達装置とを備えた車両の、制御装置であって、
目標走行状態を設定し、前記目標走行状態に基づいて加減速を自動的に行うことで走行する自動運転制御を行う運転制御部と、
前記車両の運転状態に応じた複数の学習領域毎に、前記車両の制御に関わる操作量を学習制御によって補正する学習制御部とを備え、
前記運転制御部は、前記自動運転制御の実行中には、前記学習領域のうちの前記操作量の補正が収束していない未収束領域に対応する前記車両の運転状態での走行、及び前記学習領域のうちの前記操作量の補正が収束している収束領域に対応する前記車両の運転状態での走行のうちで、前記未収束領域に対応する前記車両の運転状態での走行を優先して選択することを特徴とする車両の制御装置。
【請求項２】
前記運転制御部は、前記未収束領域のうちの前記操作量の補正が一度も行われていない未実行領域に対応する前記車両の運転状態での走行、及び前記未収束領域のうちの前記操作量の補正が少なくとも一度以上行われた既実行領域に対応する前記車両の運転状態での走行のうちで、前記未実行領域に対応する前記車両の運転状態での走行を優先して選択することを特徴とする請求項１に記載の車両の制御装置。
【請求項３】
前記運転制御部は、前記自動運転制御の実行中には、前記車両の運転状態を、前記選択した走行を実現する車両の運転状態に変更することを特徴とする請求項１又は２に記載の車両の制御装置。
【請求項４】
前記運転制御部は、前記自動運転制御における現在の走行ルートにおいて前記選択した走行を実現する車両の運転状態に変更することができない場合には、前記現在の走行ルートを、前記選択した走行を実現する別の走行ルートに変更することを特徴とする請求項３に記載の車両の制御装置。
【請求項５】
前記運転制御部は、前記自動運転制御の実行中には、現在の走行ルートを、前記選択した走行を実現する別の走行ルートに変更することを特徴とする請求項１又は２に記載の車両の制御装置。
【請求項６】
前記運転制御部は、前記自動運転制御の実行中には、前記学習制御部による学習制御を許可する学習許可条件の成立を促進する所定の運転モードを実行することを特徴とする請求項１から５の何れか１項に記載の車両の制御装置。
【発明の詳細な説明】
【技術分野】
【０００１】
本発明は、動力源と動力伝達装置とを備えた車両の制御装置に関するものである。
【背景技術】
【０００２】
動力源と動力伝達装置とを備えた車両の制御装置が良く知られている。例えば、特許文献１に記載された車両用自動変速機の変速制御装置がそれである。この特許文献１には、自動変速機のパワーオンアップシフト時に自動変速機の入力回転速度のオーバーシュート量に基づいて解放側係合装置の係合圧を学習制御によって補正することが開示されている。
【先行技術文献】
【特許文献】
【０００３】
【特許文献１】特開２００６−３４８９８５号公報
【発明の概要】
【発明が解決しようとする課題】
【０００４】
ここで、車両の制御に関わる操作量を学習制御によって補正する際、車速等の車両の運転状態に応じた複数の学習領域毎に学習制御を行うことが考えられる。これにより、運転者の操作などに合わせて車両性能を向上することができる。ところで、運転者によっては運転方法や走行ルート等の走行環境などの車両の使用状況が偏ってしまう場合がある。このような場合、車両の制御に関わる操作量を補正する学習制御が特定の学習領域に偏って行われるおそれがある。そうすると、車両性能を向上し難くなる可能性がある。
【０００５】
本発明は、以上の事情を背景として為されたものであり、その目的とするところは、車両の制御に関わる操作量を補正する学習制御によって、適切な走行状態を早期に達成することができる車両の制御装置を提供することにある。
【課題を解決するための手段】
【０００６】
第１の発明の要旨とするところは、（ａ）動力源と動力伝達装置とを備えた車両の、制御装置であって、（ｂ）目標走行状態を設定し、前記目標走行状態に基づいて加減速を自動的に行うことで走行する自動運転制御を行う運転制御部と、（ｃ）前記車両の運転状態に応じた複数の学習領域毎に、前記車両の制御に関わる操作量を学習制御によって補正する学習制御部とを備え、（ｄ）前記運転制御部は、前記自動運転制御の実行中には、前記学習領域のうちの前記操作量の補正が収束していない未収束領域に対応する前記車両の運転状態での走行、及び前記学習領域のうちの前記操作量の補正が収束している収束領域に対応する前記車両の運転状態での走行のうちで、前記未収束領域に対応する前記車両の運転状態での走行を優先して選択することにある。
【０００７】
また、第２の発明は、前記第１の発明に記載の車両の制御装置において、前記運転制御部は、前記未収束領域のうちの前記操作量の補正が一度も行われていない未実行領域に対応する前記車両の運転状態での走行、及び前記未収束領域のうちの前記操作量の補正が少なくとも一度以上行われた既実行領域に対応する前記車両の運転状態での走行のうちで、前記未実行領域に対応する前記車両の運転状態での走行を優先して選択することにある。
【０００８】
また、第３の発明は、前記第１の発明又は第２の発明に記載の車両の制御装置において、前記運転制御部は、前記自動運転制御の実行中には、前記車両の運転状態を、前記選択した走行を実現する車両の運転状態に変更することにある。
【０００９】
また、第４の発明は、前記第３の発明に記載の車両の制御装置において、前記運転制御部は、前記自動運転制御における現在の走行ルートにおいて前記選択した走行を実現する車両の運転状態に変更することができない場合には、前記現在の走行ルートを、前記選択した走行を実現する別の走行ルートに変更することにある。
【００１０】
また、第５の発明は、前記第１の発明又は第２の発明に記載の車両の制御装置において、前記運転制御部は、前記自動運転制御の実行中には、現在の走行ルートを、前記選択した走行を実現する別の走行ルートに変更することにある。
【００１１】
また、第６の発明は、前記第１の発明から第５の発明の何れか１つに記載の車両の制御装置において、前記運転制御部は、前記自動運転制御の実行中には、前記学習制御部による学習制御を許可する学習許可条件の成立を促進する所定の運転モードを実行することにある。
【発明の効果】
【００１２】
前記第１の発明によれば、自動運転制御の実行中には、車両の運転状態に応じた複数の学習領域のうちの未収束領域に対応する車両の運転状態での走行、及びその学習領域のうちの収束領域に対応する車両の運転状態での走行のうちで、前記未収束領域に対応する車両の運転状態での走行が優先して選択されるので、運転者による車両の使用状況に拘わらず、車両の制御に関わる操作量を補正する学習制御が学習領域全体に亘って実行され易くなる。よって、車両の制御に関わる操作量を補正する学習制御によって、適切な走行状態を早期に達成することができる。
【００１３】
また、前記第２の発明によれば、前記未収束領域のうちの未実行領域に対応する車両の運転状態での走行、及び前記未収束領域のうちの既実行領域に対応する車両の運転状態での走行のうちで、前記未実行領域に対応する車両の運転状態での走行が優先して選択されるので、車両の制御に関わる操作量の補正が一度も行われていない学習領域における学習制御が早期に実行され得る。
【００１４】
また、前記第３の発明によれば、自動運転制御の実行中には、車両の運転状態が前記選択された走行を実現する車両の運転状態に変更されるので、未収束領域における学習制御が促進され得る。
【００１５】
また、前記第４の発明によれば、自動運転制御における現在の走行ルートにおいて前記選択された走行を実現する車両の運転状態に変更することができない場合には、その現在の走行ルートが、その選択された走行を実現する別の走行ルートに変更されるので、未収束領域における学習制御を行うことが可能な走行が実現され得る。
【００１６】
また、前記第５の発明によれば、自動運転制御の実行中には、現在の走行ルートが、前記選択された走行を実現する別の走行ルートに変更されるので、未収束領域における学習制御を行うことが可能な走行が実現され得る。これにより、未収束領域における学習制御が促進され得る。
【００１７】
また、前記第６の発明によれば、自動運転制御の実行中には、学習制御部による学習制御を許可する学習許可条件の成立を促進する所定の運転モードが実行されるので、早期に学習制御を実行することができる。
【図面の簡単な説明】
【００１８】
【図１】本発明が適用される車両の概略構成を説明する図であると共に、車両における各種制御の為の制御機能及び制御系統の要部を説明する図である。
【図２】図１で例示した機械式有段変速部の変速作動とそれに用いられる係合装置の作動の組み合わせとの関係を説明する作動図表である。
【図３】電気式無段変速部と機械式有段変速部とにおける各回転要素の回転速度の相対的関係を表す共線図である。
【図４】有段変速部の変速制御に用いる変速マップと、ハイブリッド走行とモータ走行との切替制御に用いる動力源切替マップとの一例を示す図であって、それぞれの関係を示す図でもある。
【図５】有段変速部の変速制御に関する学習制御の一例を説明するタイムチャートである。
【図６】第１定圧待機圧の学習値の一例を示す図である。
【図７】第２定圧待機圧の学習値の一例を示す図である。
【図８】電子制御装置の制御作動の要部すなわち車両の制御に関わる操作量を補正する学習制御によって適切な走行状態を早期に達成する為の制御作動を説明するフローチャートである。
【発明を実施するための形態】
【００１９】
本発明の実施形態において、前記動力伝達装置における変速比例えば変速機における変速比は、「入力側の回転部材の回転速度／出力側の回転部材の回転速度」である。この変速比におけるハイ側は、変速比が小さくなる側である高車速側である。変速比におけるロー側は、変速比が大きくなる側である低車速側である。例えば、最ロー側変速比は、最も低車速側となる最低車速側の変速比であり、変速比が最も大きな値となる最大変速比である。
【００２０】
以下、本発明の実施例を図面を参照して詳細に説明する。
【実施例】
【００２１】
図１は、本発明が適用される車両１０に備えられた動力伝達装置１２の概略構成を説明する図であると共に、車両１０における各種制御の為の制御系統の要部を説明する図である。図１において、車両１０は、エンジン１４と第１回転機ＭＧ１と第２回転機ＭＧ２とを備えている。動力伝達装置１２は、車体に取り付けられる非回転部材としてのトランスミッションケース１６内において共通の軸心上に直列に配設された、電気式無段変速部１８及び機械式有段変速部２０等を備えている。電気式無段変速部１８は、直接的に或いは図示しないダンパーなどを介して間接的にエンジン１４に連結されている。機械式有段変速部２０は、電気式無段変速部１８の出力側に連結されている。又、動力伝達装置１２は、機械式有段変速部２０の出力回転部材である出力軸２２に連結された差動歯車装置２４、差動歯車装置２４に連結された一対の車軸２６等を備えている。動力伝達装置１２において、エンジン１４や第２回転機ＭＧ２から出力される動力は、機械式有段変速部２０へ伝達され、その機械式有段変速部２０から差動歯車装置２４等を介して車両１０が備える駆動輪２８へ伝達される。尚、以下、トランスミッションケース１６をケース１６、電気式無段変速部１８を無段変速部１８、機械式有段変速部２０を有段変速部２０という。又、動力は、特に区別しない場合にはトルクや力も同意である。又、無段変速部１８や有段変速部２０等は上記共通の軸心に対して略対称的に構成されており、図１ではその軸心の下半分が省略されている。上記共通の軸心は、エンジン１４のクランク軸、後述する連結軸３４などの軸心である。
【００２２】
エンジン１４は、駆動トルクを発生することが可能な動力源として機能する機関であって、例えばガソリンエンジンやディーゼルエンジン等の公知の内燃機関である。このエンジン１４は、後述する電子制御装置９０によって車両１０に備えられたスロットルアクチュエータや燃料噴射装置や点火装置等のエンジン制御装置５０が制御されることによりエンジン１４の出力トルクであるエンジントルクＴeが制御される。本実施例では、エンジン１４は、トルクコンバータやフルードカップリング等の流体式伝動装置を介することなく無段変速部１８に連結されている。
【００２３】
第１回転機ＭＧ１及び第２回転機ＭＧ２は、電動機（モータ）としての機能及び発電機（ジェネレータ）としての機能を有する回転電気機械であって、所謂モータジェネレータである。第１回転機ＭＧ１及び第２回転機ＭＧ２は、各々、車両１０に備えられたインバータ５２を介して、車両１０に備えられた蓄電装置としてのバッテリ５４に接続されており、後述する電子制御装置９０によってインバータ５２が制御されることにより、第１回転機ＭＧ１及び第２回転機ＭＧ２の各々の出力トルクであるＭＧ１トルクＴg及びＭＧ２トルクＴmが制御される。回転機の出力トルクは、加速側となる正トルクでは力行トルクであり、又、減速側となる負トルクでは回生トルクである。バッテリ５４は、第１回転機ＭＧ１及び第２回転機ＭＧ２の各々に対して電力を授受する蓄電装置である。
【００２４】
無段変速部１８は、第１回転機ＭＧ１と、エンジン１４の動力を第１回転機ＭＧ１及び無段変速部１８の出力回転部材である中間伝達部材３０に機械的に分割する動力分割機構としての差動機構３２とを備えている。中間伝達部材３０には第２回転機ＭＧ２が動力伝達可能に連結されている。無段変速部１８は、第１回転機ＭＧ１の運転状態が制御されることにより差動機構３２の差動状態が制御される電気式無段変速機である。第１回転機ＭＧ１は、エンジン１４の回転速度であるエンジン回転速度Ｎeを制御可能な回転機であって、差動用回転機に相当する。第２回転機ＭＧ２は、駆動トルクを発生することが可能な動力源として機能する回転機であって、走行駆動用回転機に相当する。車両１０は、走行用の動力源として、エンジン１４及び第２回転機ＭＧ２を備えたハイブリッド車両である。動力伝達装置１２は、動力源の動力を駆動輪２８へ伝達する。尚、第１回転機ＭＧ１の運転状態を制御することは、第１回転機ＭＧ１の運転制御を行うことである。
【００２５】
差動機構３２は、シングルピニオン型の遊星歯車装置にて構成されており、サンギヤＳ０、キャリアＣＡ０、及びリングギヤＲ０を備えている。キャリアＣＡ０には連結軸３４を介してエンジン１４が動力伝達可能に連結され、サンギヤＳ０には第１回転機ＭＧ１が動力伝達可能に連結され、リングギヤＲ０には第２回転機ＭＧ２が動力伝達可能に連結されている。差動機構３２において、キャリアＣＡ０は入力要素として機能し、サンギヤＳ０は反力要素として機能し、リングギヤＲ０は出力要素として機能する。
【００２６】
有段変速部２０は、中間伝達部材３０と駆動輪２８との間の動力伝達経路の一部を構成する有段変速機としての機械式変速機構、つまり無段変速部１８と駆動輪２８との間の動力伝達経路の一部を構成する機械式変速機構である。中間伝達部材３０は、有段変速部２０の入力回転部材としても機能する。中間伝達部材３０には第２回転機ＭＧ２が一体回転するように連結されているので、又は、無段変速部１８の入力側にはエンジン１４が連結されているので、有段変速部２０は、動力源（第２回転機ＭＧ２又はエンジン１４）と駆動輪２８との間の動力伝達経路の一部を構成する変速機である。中間伝達部材３０は、駆動輪２８に動力源の動力を伝達する為の伝達部材である。有段変速部２０は、例えば第１遊星歯車装置３６及び第２遊星歯車装置３８の複数組の遊星歯車装置と、ワンウェイクラッチＦ１を含む、クラッチＣ１、クラッチＣ２、ブレーキＢ１、ブレーキＢ２の複数の係合装置とを備えている、公知の遊星歯車式の自動変速機である。以下、クラッチＣ１、クラッチＣ２、ブレーキＢ１、及びブレーキＢ２については、特に区別しない場合は単に係合装置ＣＢという。
【００２７】
係合装置ＣＢは、油圧アクチュエータにより押圧される多板式或いは単板式のクラッチやブレーキ、油圧アクチュエータによって引き締められるバンドブレーキなどにより構成される、油圧式の摩擦係合装置である。係合装置ＣＢは、車両１０に備えられた油圧制御回路５６内のソレノイドバルブＳＬ１−ＳＬ４等から各々出力される調圧された係合装置ＣＢの各係合圧としての各係合油圧ＰＲcbによりそれぞれのトルク容量である係合トルクＴcbが変化させられることで、各々、係合や解放などの状態である作動状態が切り替えられる。
【００２８】
有段変速部２０は、第１遊星歯車装置３６及び第２遊星歯車装置３８の各回転要素が、直接的に或いは係合装置ＣＢやワンウェイクラッチＦ１を介して間接的に、一部が互いに連結されたり、中間伝達部材３０、ケース１６、或いは出力軸２２に連結されている。第１遊星歯車装置３６の各回転要素は、サンギヤＳ１、キャリアＣＡ１、リングギヤＲ１であり、第２遊星歯車装置３８の各回転要素は、サンギヤＳ２、キャリアＣＡ２、リングギヤＲ２である。
【００２９】
有段変速部２０は、複数の係合装置のうちの何れかの係合装置である例えば所定の係合装置の係合によって、変速比（ギヤ比ともいう）γat（＝ＡＴ入力回転速度Ｎi／出力回転速度Ｎo）が異なる複数の変速段（ギヤ段ともいう）のうちの何れかのギヤ段が形成される有段変速機である。つまり、有段変速部２０は、複数の係合装置の何れかが係合されることで、ギヤ段が切り替えられるすなわち変速が実行される。有段変速部２０は、複数のギヤ段の各々が形成される、有段式の自動変速機である。本実施例では、有段変速部２０にて形成されるギヤ段をＡＴギヤ段と称す。ＡＴ入力回転速度Ｎiは、有段変速部２０の入力回転部材の回転速度である有段変速部２０の入力回転速度であって、中間伝達部材３０の回転速度と同値であり、又、第２回転機ＭＧ２の回転速度であるＭＧ２回転速度Ｎmと同値である。ＡＴ入力回転速度Ｎiは、ＭＧ２回転速度Ｎmで表すことができる。出力回転速度Ｎoは、有段変速部２０の出力回転速度である出力軸２２の回転速度であって、無段変速部１８と有段変速部２０とを合わせた全体の変速機である複合変速機４０の出力回転速度でもある。複合変速機４０は、エンジン１４と駆動輪２８との間の動力伝達経路の一部を構成する変速機である。
【００３０】
有段変速部２０は、例えば図２の係合作動表に示すように、複数のＡＴギヤ段として、ＡＴ１速ギヤ段（図中の「１ｓｔ」）−ＡＴ４速ギヤ段（図中の「４ｔｈ」）の４段の前進用のＡＴギヤ段が形成される。ＡＴ１速ギヤ段の変速比γatが最も大きく、ハイ側のＡＴギヤ段程、変速比γatが小さくなる。図２の係合作動表は、各ＡＴギヤ段と複数の係合装置の各作動状態との関係をまとめたものである。すなわち、図２の係合作動表は、各ＡＴギヤ段と、各ＡＴギヤ段において各々係合される係合装置である所定の係合装置との関係をまとめたものである。図２において、「○」は係合、「△」はエンジンブレーキ時や有段変速部２０のコーストダウンシフト時に係合、空欄は解放をそれぞれ表している。
【００３１】
有段変速部２０は、後述する電子制御装置９０によって、ドライバー（すなわち運転者）のアクセル操作や車速Ｖ等に応じて形成されるＡＴギヤ段が切り替えられる、すなわち複数のＡＴギヤ段が選択的に形成される。例えば、有段変速部２０の変速制御においては、係合装置ＣＢの何れかの掴み替えにより変速が実行される、すなわち係合装置ＣＢの係合と解放との切替えにより変速が実行される、所謂クラッチツゥクラッチ変速が実行される。本実施例では、例えばＡＴ２速ギヤ段からＡＴ１速ギヤ段へのダウンシフトを２→１ダウンシフトと表す。他のアップシフトやダウンシフトについても同様である。
【００３２】
図３は、無段変速部１８と有段変速部２０とにおける各回転要素の回転速度の相対的関係を表す共線図である。図３において、無段変速部１８を構成する差動機構３２の３つの回転要素に対応する３本の縦線Ｙ１、Ｙ２、Ｙ３は、左側から順に第２回転要素ＲＥ２に対応するサンギヤＳ０の回転速度を表すｇ軸であり、第１回転要素ＲＥ１に対応するキャリアＣＡ０の回転速度を表すｅ軸であり、第３回転要素ＲＥ３に対応するリングギヤＲ０の回転速度（すなわち有段変速部２０の入力回転速度）を表すｍ軸である。又、有段変速部２０の４本の縦線Ｙ４、Ｙ５、Ｙ６、Ｙ７は、左から順に、第４回転要素ＲＥ４に対応するサンギヤＳ２の回転速度、第５回転要素ＲＥ５に対応する相互に連結されたリングギヤＲ１及びキャリアＣＡ２の回転速度（すなわち出力軸２２の回転速度）、第６回転要素ＲＥ６に対応する相互に連結されたキャリアＣＡ１及びリングギヤＲ２の回転速度、第７回転要素ＲＥ７に対応するサンギヤＳ１の回転速度をそれぞれ表す軸である。縦線Ｙ１、Ｙ２、Ｙ３の相互の間隔は、差動機構３２のギヤ比（歯車比ともいう）ρ０に応じて定められている。又、縦線Ｙ４、Ｙ５、Ｙ６、Ｙ７の相互の間隔は、第１、第２遊星歯車装置３６，３８の各歯車比ρ１，ρ２に応じて定められている。共線図の縦軸間の関係においてサンギヤとキャリアとの間が「１」に対応する間隔とされるとキャリアとリングギヤとの間が遊星歯車装置の歯車比ρ（＝サンギヤの歯数Ｚs／リングギヤの歯数Ｚr）に対応する間隔とされる。
【００３３】
図３の共線図を用いて表現すれば、無段変速部１８の差動機構３２において、第１回転要素ＲＥ１にエンジン１４（図中の「ＥＮＧ」参照）が連結され、第２回転要素ＲＥ２に第１回転機ＭＧ１（図中の「ＭＧ１」参照）が連結され、中間伝達部材３０と一体回転する第３回転要素ＲＥ３に第２回転機ＭＧ２（図中の「ＭＧ２」参照）が連結されて、エンジン１４の回転を中間伝達部材３０を介して有段変速部２０へ伝達するように構成されている。無段変速部１８では、縦線Ｙ２を横切る各直線Ｌ０，Ｌ０Ｒにより、サンギヤＳ０の回転速度とリングギヤＲ０の回転速度との関係が示される。
【００３４】
又、有段変速部２０において、第４回転要素ＲＥ４はクラッチＣ１を介して中間伝達部材３０に選択的に連結され、第５回転要素ＲＥ５は出力軸２２に連結され、第６回転要素ＲＥ６はクラッチＣ２を介して中間伝達部材３０に選択的に連結されると共にブレーキＢ２を介してケース１６に選択的に連結され、第７回転要素ＲＥ７はブレーキＢ１を介してケース１６に選択的に連結されている。有段変速部２０では、係合装置ＣＢの係合解放制御によって縦線Ｙ５を横切る各直線Ｌ１，Ｌ２，Ｌ３，Ｌ４，ＬＲにより、出力軸２２における「１ｓｔ」，「２ｎｄ」，「３ｒｄ」，「４ｔｈ」，「Ｒｅｖ」の各回転速度が示される。
【００３５】
図３中の実線で示す、直線Ｌ０及び直線Ｌ１，Ｌ２，Ｌ３，Ｌ４は、少なくともエンジン１４を動力源として走行するハイブリッド走行が可能なハイブリッド走行モードでの前進走行における各回転要素の相対速度を示している。このハイブリッド走行モードでは、差動機構３２において、キャリアＣＡ０に入力されるエンジントルクＴeに対して、第１回転機ＭＧ１による負トルクである反力トルクが正回転にてサンギヤＳ０に入力されると、リングギヤＲ０には正回転にて正トルクとなるエンジン直達トルクＴd（＝Ｔe／（１＋ρ０）＝−（１／ρ０）×Ｔg）が現れる。そして、要求駆動力に応じて、エンジン直達トルクＴdとＭＧ２トルクＴmとの合算トルクが車両１０の前進方向の駆動トルクとして、ＡＴ１速ギヤ段−ＡＴ４速ギヤ段のうちの何れかのＡＴギヤ段が形成された有段変速部２０を介して駆動輪２８へ伝達される。このとき、第１回転機ＭＧ１は正回転にて負トルクを発生する発電機として機能する。第１回転機ＭＧ１の発電電力Ｗgは、バッテリ５４に充電されたり、第２回転機ＭＧ２にて消費される。第２回転機ＭＧ２は、発電電力Ｗgの全部又は一部を用いて、或いは発電電力Ｗgに加えてバッテリ５４からの電力を用いて、ＭＧ２トルクＴmを出力する。
【００３６】
図３に図示はしていないが、エンジン１４を停止させると共に第２回転機ＭＧ２を動力源として走行するモータ走行が可能なモータ走行モードでの共線図では、差動機構３２において、キャリアＣＡ０はゼロ回転とされ、リングギヤＲ０には正回転にて正トルクとなるＭＧ２トルクＴmが入力される。このとき、サンギヤＳ０に連結された第１回転機ＭＧ１は、無負荷状態とされて負回転にて空転させられる。つまり、モータ走行モードでは、エンジン１４は駆動されず、エンジン回転速度Ｎeはゼロとされ、ＭＧ２トルクＴmが車両１０の前進方向の駆動トルクとして、ＡＴ１速ギヤ段−ＡＴ４速ギヤ段のうちの何れかのＡＴギヤ段が形成された有段変速部２０を介して駆動輪２８へ伝達される。ここでのＭＧ２トルクＴmは、正回転の力行トルクである。
【００３７】
図３中の破線で示す、直線Ｌ０Ｒ及び直線ＬＲは、モータ走行モードでの後進走行における各回転要素の相対速度を示している。このモータ走行モードでの後進走行では、リングギヤＲ０には負回転にて負トルクとなるＭＧ２トルクＴmが入力され、そのＭＧ２トルクＴmが車両１０の後進方向の駆動トルクとして、ＡＴ１速ギヤ段が形成された有段変速部２０を介して駆動輪２８へ伝達される。車両１０では、後述する電子制御装置９０によって、複数のＡＴギヤ段のうちの前進用のロー側のＡＴギヤ段である例えばＡＴ１速ギヤ段が形成された状態で、前進走行時における前進用のＭＧ２トルクＴmとは正負が反対となる後進用のＭＧ２トルクＴmが第２回転機ＭＧ２から出力させられることで、後進走行を行うことができる。ここでは、前進用のＭＧ２トルクＴmは正回転の正トルクとなる力行トルクであり、後進用のＭＧ２トルクＴmは負回転の負トルクとなる力行トルクである。このように、車両１０では、前進用のＡＴギヤ段を用いて、ＭＧ２トルクＴmの正負を反転させることで後進走行を行う。前進用のＡＴギヤ段を用いることは、前進走行を行うときと同じＡＴギヤ段を用いることである。尚、ハイブリッド走行モードにおいても、直線Ｌ０Ｒのように第２回転機ＭＧ２を負回転とすることが可能であるので、モータ走行モードと同様に後進走行を行うことが可能である。
【００３８】
動力伝達装置１２では、エンジン１４が動力伝達可能に連結された第１回転要素ＲＥ１としてのキャリアＣＡ０と第１回転機ＭＧ１が動力伝達可能に連結された第２回転要素ＲＥ２としてのサンギヤＳ０と中間伝達部材３０が連結された第３回転要素ＲＥ３としてのリングギヤＲ０との３つの回転要素を有する差動機構３２を備えて、第１回転機ＭＧ１の運転状態が制御されることにより差動機構３２の差動状態が制御される電気式変速機構としての無段変速部１８が構成される。中間伝達部材３０が連結された第３回転要素ＲＥ３は、見方を換えれば第２回転機ＭＧ２が動力伝達可能に連結された第３回転要素ＲＥ３である。つまり、動力伝達装置１２では、エンジン１４が動力伝達可能に連結された差動機構３２と差動機構３２に動力伝達可能に連結された第１回転機ＭＧ１とを有して、第１回転機ＭＧ１の運転状態が制御されることにより差動機構３２の差動状態が制御される無段変速部１８が構成される。無段変速部１８は、入力回転部材となる連結軸３４の回転速度と同値であるエンジン回転速度Ｎeと、出力回転部材となる中間伝達部材３０の回転速度であるＭＧ２回転速度Ｎmとの比の値である変速比γ０（＝Ｎe／Ｎm）が変化させられる電気的な無段変速機として作動させられる。
【００３９】
例えば、ハイブリッド走行モードにおいては、有段変速部２０にてＡＴギヤ段が形成されたことで駆動輪２８の回転に拘束されるリングギヤＲ０の回転速度に対して、第１回転機ＭＧ１の回転速度を制御することによってサンギヤＳ０の回転速度が上昇或いは下降させられると、キャリアＣＡ０の回転速度つまりエンジン回転速度Ｎeが上昇或いは下降させられる。従って、ハイブリッド走行では、エンジン１４を効率の良い運転点にて作動させることが可能である。つまり、ＡＴギヤ段が形成された有段変速部２０と無段変速機として作動させられる無段変速部１８とで、無段変速部１８と有段変速部２０とが直列に配置された複合変速機４０全体として無段変速機を構成することができる。
【００４０】
又は、無段変速部１８を有段変速機のように変速させることも可能であるので、ＡＴギヤ段が形成される有段変速部２０と有段変速機のように変速させる無段変速部１８とで、複合変速機４０全体として有段変速機のように変速させることができる。つまり、複合変速機４０において、エンジン回転速度Ｎeの出力回転速度Ｎoに対する比の値を表す変速比γｔ（＝Ｎe／Ｎo）が異なる複数のギヤ段を選択的に成立させるように、有段変速部２０と無段変速部１８とを制御することが可能である。本実施例では、複合変速機４０にて成立させられるギヤ段を模擬ギヤ段と称する。変速比γｔは、直列に配置された、無段変速部１８と有段変速部２０とで形成されるトータル変速比であって、無段変速部１８の変速比γ０と有段変速部２０の変速比γatとを乗算した値（γｔ＝γ０×γat）となる。
【００４１】
模擬ギヤ段は、例えば有段変速部２０の各ＡＴギヤ段と１又は複数種類の無段変速部１８の変速比γ０との組合せによって、有段変速部２０の各ＡＴギヤ段に対してそれぞれ１又は複数種類を成立させるように割り当てられる。例えば、ＡＴ１速ギヤ段に対して模擬１速ギヤ段−模擬３速ギヤ段が成立させられ、ＡＴ２速ギヤ段に対して模擬４速ギヤ段−模擬６速ギヤ段が成立させられ、ＡＴ３速ギヤ段に対して模擬７速ギヤ段−模擬９速ギヤ段が成立させられ、ＡＴ４速ギヤ段に対して模擬１０速ギヤ段が成立させられるように予め定められている。複合変速機４０では、出力回転速度Ｎoに対して所定の変速比γｔを実現するエンジン回転速度Ｎeとなるように無段変速部１８が制御されることによって、あるＡＴギヤ段において異なる模擬ギヤ段が成立させられる。又、複合変速機４０では、ＡＴギヤ段の切替えに合わせて無段変速部１８が制御されることによって、模擬ギヤ段が切り替えられる。
【００４２】
図１に戻り、車両１０は、エンジン１４、無段変速部１８、及び有段変速部２０などの制御に関連する車両１０の制御装置を含むコントローラとしての電子制御装置９０を備えている。よって、図１は、電子制御装置９０の入出力系統を示す図であり、又、電子制御装置９０による制御機能の要部を説明する機能ブロック図である。電子制御装置９０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。電子制御装置９０は、必要に応じてエンジン制御用、変速制御用等に分けて構成される。
【００４３】
電子制御装置９０には、車両１０に備えられた各種センサ等（例えばエンジン回転速度センサ６０、出力回転速度センサ６２、ＭＧ１回転速度センサ６４、ＭＧ２回転速度センサ６６、アクセル開度センサ６８、スロットル弁開度センサ７０、ブレーキペダルセンサ７１、ステアリングセンサ７２、Ｇセンサ７４、ヨーレートセンサ７６、バッテリセンサ７８、油温センサ７９、車両周辺情報センサ８０、ＧＰＳアンテナ８１、外部ネットワーク通信用アンテナ８２、ナビゲーションシステム８３、運転支援設定スイッチ群８４など）による検出値に基づく各種信号等（例えばエンジン回転速度Ｎe、車速Ｖに対応する出力回転速度Ｎo、第１回転機ＭＧ１の回転速度であるＭＧ１回転速度Ｎg、ＡＴ入力回転速度ＮiであるＭＧ２回転速度Ｎm、運転者の加速操作の大きさを表す運転者の加速操作量としてのアクセル開度θacc、電子スロットル弁の開度であるスロットル弁開度θth、ホイールブレーキを作動させる為のブレーキペダルが運転者によって操作されている状態を示す信号であるブレーキオン信号Ｂon、ブレーキペダルの踏力に対応する、運転者によるブレーキペダルの踏込操作の大きさを表すブレーキ操作量Ｂra、車両１０に備えられたステアリングホイールの操舵角θsw及び操舵方向Ｄsw、車両１０の前後加速度Ｇx、車両１０の左右加速度Ｇy、車両１０の鉛直軸まわりの回転角速度であるヨーレートＲyaw、バッテリ５４のバッテリ温度ＴＨbatやバッテリ充放電電流Ｉbatやバッテリ電圧Ｖbat、係合装置ＣＢの油圧アクチュエータへ供給される作動油すなわち係合装置ＣＢを作動させる作動油の温度である作動油温ＴＨoil、車両周辺情報Ｉard、ＧＰＳ信号（軌道信号）Ｓgps、通信信号Ｓcom、ナビ情報Ｉnavi、自動運転制御やクルーズ制御等の運転支援制御における運転者による設定を示す信号である運転支援設定信号Ｓsetなど）が、それぞれ供給される。
【００４４】
運転者の加速操作の大きさを表す運転者の加速操作量は、例えばアクセルペダルなどのアクセル操作部材の操作量であるアクセル操作量であって、車両１０に対する運転者の出力要求量である。運転者の出力要求量としては、アクセル開度θaccの他に、スロットル弁開度θthなどを用いることもできる。
【００４５】
車両周辺情報センサ８０は、例えばライダー、レーダー、及び車載カメラなどのうちの少なくとも一つを含んでおり、走行中の道路に関する情報や車両周辺に存在する物体に関する情報を直接的に取得する。前記ライダーは、例えば車両１０の前方の物体、側方の物体、後方の物体などを各々検出する複数のライダー、又は、車両１０の全周囲の物体を検出する一つのライダーであり、検出した物体に関する物体情報を車両周辺情報Ｉardとして出力する。前記レーダーは、例えば車両１０の前方の物体、前方近傍の物体、後方近傍の物体などを各々検出する複数のレーダーなどであり、検出した物体に関する物体情報を車両周辺情報Ｉardとして出力する。前記ライダーやレーダーによる物体情報には、検出した物体の車両１０からの距離と方向とが含まれる。前記車載カメラは、例えば車両１０のフロントガラスの裏側に設けられた、車両１０の前方を撮像する単眼カメラ又はステレオカメラであり、撮像情報を車両周辺情報Ｉardとして出力する。この撮像情報には、走行路の車線、走行路における標識、及び走行路における他車両や歩行者や障害物などの情報が含まれる。
【００４６】
運転支援設定スイッチ群８４は、自動運転制御を実行させる為の自動運転選択スイッチ、クルーズ制御を実行させる為のクルーズスイッチ、クルーズ制御における車速を設定するスイッチ、クルーズ制御における先行車との車間距離を設定するスイッチ、設定された車線を維持して走行するレーンキープ制御を実行させる為のスイッチなどを含んでいる。
【００４７】
ＧＰＳ信号Ｓgpsは、ＧＰＳ（Global Positioning System）衛星が発信する信号に基づく地表又は地図上における車両１０の位置を示す自車位置情報を含んでいる。
【００４８】
通信信号Ｓcomは、例えばサーバや道路交通情報通信システムなどの車外装置であるセンタとの間で送受信された道路交通情報など、及び／又は、前記センタを介さずに車両１０の近傍にいる他車両との間で直接的に送受信された車車間通信情報などを含んでいる。前記道路交通情報には、例えば道路の渋滞、事故、工事、所要時間、駐車場などの情報が含まれる。前記車車間通信情報は、例えば車両情報、走行情報、交通環境情報などを含んでいる。前記車両情報には、例えば乗用車、トラック、二輪車などの車種を示す情報が含まれる。前記走行情報には、例えば車速Ｖ、位置情報、ブレーキペダルの操作情報、ターンシグナルランプの点滅情報、ハザードランプの点滅情報などの情報が含まれる。前記交通環境情報には、例えば道路の渋滞、工事などの情報が含まれる。
【００４９】
ナビ情報Ｉnaviは、例えばナビゲーションシステム８３に予め記憶された地図データに基づく道路情報や施設情報などの地図情報などを含んでいる。前記道路情報には、市街地道路、郊外道路、山岳道路、高速自動車道路すなわち高速道路などの道路の種類、道路の分岐や合流、道路の勾配、制限車速などの情報が含まれる。前記施設情報には、スーパー、商店、レストラン、駐車場、公園、車両１０を修理する拠点、自宅、高速道路におけるサービスエリアなどの拠点の種類、所在位置、名称などの情報が含まれる。上記サービスエリアは、例えば高速道路で、駐車、食事、給油などの設備のある拠点である。
【００５０】
ナビゲーションシステム８３は、ディスプレイやスピーカ等を有する公知のナビゲーションシステムである。ナビゲーションシステム８３は、ＧＰＳ信号Ｓgpsに基づいて、予め記憶された地図データ上に自車位置を特定する。ナビゲーションシステム８３は、ディスプレイに表示した地図上に自車位置を表示する。ナビゲーションシステム８３は、目的地が入力されると、出発地から目的地までの走行経路を演算し、ディスプレイやスピーカ等で運転者に走行経路などの指示を行う。
【００５１】
電子制御装置９０からは、車両１０に備えられた各装置（例えばエンジン制御装置５０、インバータ５２、油圧制御回路５６、外部ネットワーク通信用アンテナ８２、ホイールブレーキ装置８６、操舵装置８８、情報周知装置８９など）に各種指令信号（例えばエンジン１４を制御する為のエンジン制御指令信号Ｓe、第１回転機ＭＧ１及び第２回転機ＭＧ２を各々制御する為の回転機制御指令信号Ｓmg、係合装置ＣＢの作動状態を制御する為の油圧制御指令信号Ｓat、通信信号Ｓcom、ホイールブレーキによる制動トルクを制御する為のブレーキ制御指令信号Ｓbra、車輪（特には前輪）の操舵を制御する為の操舵制御指令信号Ｓste、運転者に警告や報知を行う為の情報周知制御指令信号Ｓinfなど）が、それぞれ出力される。
【００５２】
ホイールブレーキ装置８６は、車輪にホイールブレーキによる制動トルクを付与するブレーキ装置である。ホイールブレーキ装置８６は、運転者による例えばブレーキペダルの踏込操作などに応じて、ホイールブレーキに設けられたホイールシリンダへブレーキ油圧を供給する。このホイールブレーキ装置８６では、通常時には、ブレーキマスタシリンダから発生させられる、ブレーキペダルの踏力に対応した大きさのマスタシリンダ油圧が直接的にブレーキ油圧としてホイールシリンダへ供給される。一方で、ホイールブレーキ装置８６では、例えばＡＢＳ制御時、横滑り抑制制御時、車速制御時、自動運転制御時などには、ホイールブレーキによる制動トルクの発生の為に、各制御で必要なブレーキ油圧がホイールシリンダへ供給される。上記車輪は、駆動輪２８及び不図示の従動輪である。
【００５３】
操舵装置８８は、例えば車速Ｖ、操舵角θsw及び操舵方向Ｄsw、ヨーレートＲyawなどに応じたアシストトルクを車両１０の操舵系に付与する。操舵装置８８では、例えば自動運転制御時などには、前輪の操舵を制御するトルクを車両１０の操舵系に付与する。
【００５４】
情報周知装置８９は、例えば車両１０の走行に関わる何らかの部品が故障したり、その部品の機能が低下した場合に、運転者に対して警告や報知を行う装置である。情報周知装置８９は、例えばモニタやディスプレイやアラームランプ等の表示装置、及び／又はスピーカやブザー等の音出力装置などである。前記表示装置は、運転者に対して視覚的な警告や報知を行う装置である。音出力装置は、運転者に対して聴覚的な警告や報知を行う装置である。
【００５５】
電子制御装置９０は、例えばバッテリ充放電電流Ｉbat及びバッテリ電圧Ｖbatなどに基づいてバッテリ５４の充電状態を示す値としての充電状態値ＳＯＣ［％］を算出する。又、電子制御装置９０は、例えばバッテリ温度ＴＨbat及びバッテリ５４の充電状態値ＳＯＣに基づいて、バッテリ５４のパワーであるバッテリパワーＰbatの使用可能な範囲を規定する充放電可能電力Ｗin，Ｗoutを算出する。充放電可能電力Ｗin，Ｗoutは、バッテリ５４の入力電力の制限を規定する入力可能電力としての充電可能電力Ｗin、及びバッテリ５４の出力電力の制限を規定する出力可能電力としての放電可能電力Ｗoutである。充放電可能電力Ｗin，Ｗoutは、例えばバッテリ温度ＴＨbatが常用域より低い低温域ではバッテリ温度ＴＨbatが低い程小さくされ、又、バッテリ温度ＴＨbatが常用域より高い高温域ではバッテリ温度ＴＨbatが高い程小さくされる。又、充電可能電力Ｗinは、例えば充電状態値ＳＯＣが高い領域では充電状態値ＳＯＣが高い程小さくされる。又、放電可能電力Ｗoutは、例えば充電状態値ＳＯＣが低い領域では充電状態値ＳＯＣが低い程小さくされる。
【００５６】
電子制御装置９０は、車両１０における各種制御を実現する為に、運転制御手段すなわち運転制御部９１、ＡＴ変速制御手段すなわちＡＴ変速制御部９２、及びハイブリッド制御手段すなわちハイブリッド制御部９３を備えている。
【００５７】
運転制御部９１は、車両１０の運転制御として、運転者の運転操作に基づいて走行する手動運転制御と、運転者により入力された目的地や地図情報などに基づいて自動的に目標走行状態を設定し、その目標走行状態に基づいて加減速と操舵とを自動的に行うことで走行する自動運転制御とを選択的に行うことが可能である。前記手動運転制御は、運転者の運転操作による手動運転にて走行する運転制御である。その手動運転は、アクセル操作、ブレーキ操作、操舵操作などの運転者の運転操作によって車両１０の通常走行を行う運転方法である。前記自動運転制御は、自動運転にて走行する運転制御である。その自動運転は、運転者の運転操作（意思）に因らず、各種センサからの信号や情報等に基づく電子制御装置９０による制御により加減速、制動、操舵などを自動的に行うことによって車両１０の走行を行う運転方法である。
【００５８】
運転制御部９１は、運転支援設定スイッチ群８４における自動運転選択スイッチにおいて自動運転が選択されていない場合には、手動運転モードを成立させて手動運転制御を実行する。運転制御部９１は、有段変速部２０やエンジン１４や回転機ＭＧ１，ＭＧ２を各々制御する指令をＡＴ変速制御部９２及びハイブリッド制御部９３に出力することで手動運転制御を実行する。
【００５９】
運転制御部９１は、運転者によって運転支援設定スイッチ群８４における自動運転選択スイッチが操作されて自動運転が選択されている場合には、自動運転モードを成立させて自動運転制御を実行する。具体的には、運転制御部９１は、運転者により入力された目的地や燃費優先度や車速や車間距離等の各種設定と、ＧＰＳ信号Ｓgpsに基づく自車位置情報と、ナビ情報Ｉnavi及び／又は通信信号Ｓcomに基づく、カーブ等の道路状態や勾配や高度や法定速度等の前記地図情報、インフラ情報、及び天候等と、車両周辺情報Ｉardに基づく走行路の車線、走行路における標識、走行路における他車両や歩行者などの情報とに基づいて、自動的に目標走行状態を設定する。運転制御部９１は、設定した目標走行状態に基づいて加減速と制動と操舵とを自動的に行うことで自動運転制御を行う。この加減速は車両１０の加速と車両１０の減速とであり、ここでの減速には制動を含めても良い。
【００６０】
運転制御部９１は、前記目標走行状態として、目標ルート及び目標進路、実際の車間距離などに基づく安全マージンを考慮した目標車速、目標車速や走行抵抗分などに基づく目標駆動トルク又は目標加減速度などを設定する。上記走行抵抗は、例えば予め運転者によって車両１０に設定された値、車外との通信により取得された地図情報や車両諸元に基づく値、又は、走行中に勾配や実駆動量や実前後加速度Ｇx等に基づいて演算された推定値などが用いられる。運転制御部９１は、目標駆動トルクが得られるように、有段変速部２０やエンジン１４や回転機ＭＧ１，ＭＧ２を各々制御する指令をＡＴ変速制御部９２及びハイブリッド制御部９３に出力する。目標駆動トルクが負値の場合すなわち制動トルクが必要な場合は、エンジン１４によるエンジンブレーキトルク、第２回転機ＭＧ２による回生ブレーキトルク、及びホイールブレーキ装置８６によるホイールブレーキトルクのうちの少なくとも一つのブレーキトルクが車両１０に作用させられる。例えば、運転制御部９１は、利用可能な範囲でホイールブレーキトルクを演算し、目標駆動トルクが得られるように、そのホイールブレーキトルクを作用させる為のブレーキ制御指令信号Ｓbraをホイールブレーキ装置８６に出力する。加えて、運転制御部９１は、設定した目標走行状態に基づいて前輪の操舵を制御する為の操舵制御指令信号Ｓsteを操舵装置８８に出力する。
【００６１】
以下に、通常走行による手動運転制御の場合を例示して、ＡＴ変速制御部９２及びハイブリッド制御部９３による制御を具体的に説明する。
【００６２】
ＡＴ変速制御部９２は、予め実験的に或いは設計的に求められて記憶された関係すなわち予め定められた関係である例えば図４に示すようなＡＴギヤ段変速マップを用いて有段変速部２０の変速判断を行い、必要に応じて有段変速部２０の変速制御を実行する。ＡＴ変速制御部９２は、この有段変速部２０の変速制御では、有段変速部２０のＡＴギヤ段を自動的に切り替えるように、ソレノイドバルブＳＬ１−ＳＬ４により係合装置ＣＢの係合解放状態を切り替える為の油圧制御指令信号Ｓatを油圧制御回路５６へ出力する。上記ＡＴギヤ段変速マップは、例えば車速Ｖ及び要求駆動トルクＴrdemを変数とする二次元座標上に、有段変速部２０の変速が判断される為の変速線を有する所定の関係である。ここでは、車速Ｖに替えて出力回転速度Ｎoなどを用いても良いし、又、要求駆動トルクＴrdemに替えて要求駆動力Ｆrdemやアクセル開度θaccやスロットル弁開度θthなどを用いても良い。上記ＡＴギヤ段変速マップにおける各変速線は、実線に示すようなアップシフトが判断される為のアップシフト線、及び破線に示すようなダウンシフトが判断される為のダウンシフト線である。
【００６３】
ハイブリッド制御部９３は、エンジン１４の作動を制御するエンジン制御手段すなわちエンジン制御部としての機能と、インバータ５２を介して第１回転機ＭＧ１及び第２回転機ＭＧ２の作動を制御する回転機制御手段すなわち回転機制御部としての機能を含んでおり、それら制御機能によりエンジン１４、第１回転機ＭＧ１、及び第２回転機ＭＧ２によるハイブリッド駆動制御等を実行する。ハイブリッド制御部９３は、予め定められた関係である例えば駆動要求量マップにアクセル開度θacc及び車速Ｖを適用することで駆動要求量としての駆動輪２８における要求駆動トルクＴrdem［Ｎｍ］を算出する。前記駆動要求量としては、要求駆動トルクＴrdemの他に、駆動輪２８における要求駆動力Ｆrdem［Ｎ］、駆動輪２８における要求駆動パワーＰrdem［Ｗ］、出力軸２２における要求ＡＴ出力トルク等を用いることもできる。尚、自動運転制御における目標駆動トルクは、手動運転制御における要求駆動トルクと同意である。
【００６４】
ハイブリッド制御部９３は、バッテリ５４の充放電可能電力Ｗin，Ｗout等を考慮して、要求駆動パワーＰrdemを実現するように、エンジン１４を制御する指令信号であるエンジン制御指令信号Ｓeと、第１回転機ＭＧ１及び第２回転機ＭＧ２を制御する指令信号である回転機制御指令信号Ｓmgとを出力する。エンジン制御指令信号Ｓeは、例えばそのときのエンジン回転速度ＮeにおけるエンジントルクＴeを出力するエンジン１４のパワーであるエンジンパワーＰeの指令値である。回転機制御指令信号Ｓmgは、例えばエンジントルクＴeの反力トルクとしての指令出力時のＭＧ１回転速度ＮgにおけるＭＧ１トルクＴgを出力する第１回転機ＭＧ１の発電電力Ｗgの指令値であり、又、指令出力時のＭＧ２回転速度ＮmにおけるＭＧ２トルクＴmを出力する第２回転機ＭＧ２の消費電力Ｗmの指令値である。
【００６５】
ハイブリッド制御部９３は、例えば無段変速部１８を無段変速機として作動させて複合変速機４０全体として無段変速機として作動させる場合、エンジン最適燃費点等を考慮して、要求駆動パワーＰrdemを実現するエンジンパワーＰeが得られるエンジン回転速度ＮeとエンジントルクＴeとなるように、エンジン１４を制御すると共に第１回転機ＭＧ１の発電電力Ｗgを制御することで、無段変速部１８の無段変速制御を実行して無段変速部１８の変速比γ０を変化させる。この制御の結果として、無段変速機として作動させる場合の複合変速機４０の変速比γｔが制御される。
【００６６】
ハイブリッド制御部９３は、例えば無段変速部１８を有段変速機のように変速させて複合変速機４０全体として有段変速機のように変速させる場合、予め定められた関係である例えば模擬ギヤ段変速マップを用いて複合変速機４０の変速判断を行い、ＡＴ変速制御部９２による有段変速部２０のＡＴギヤ段の変速制御と協調して、複数の模擬ギヤ段を選択的に成立させるように無段変速部１８の変速制御を実行する。複数の模擬ギヤ段は、それぞれの変速比γｔを維持できるように車速Ｖに応じて第１回転機ＭＧ１によりエンジン回転速度Ｎeを制御することによって成立させることができる。各模擬ギヤ段の変速比γｔは、車速Ｖの全域に亘って必ずしも一定値である必要はなく、所定領域で変化させても良いし、各部の回転速度の上限や下限等によって制限が加えられても良い。このように、ハイブリッド制御部９３は、エンジン回転速度Ｎeを有段変速のように変化させる変速制御が可能である。複合変速機４０全体として有段変速機のように変速させる模擬有段変速制御は、例えば運転者によってスポーツ走行モード等の走行性能重視の走行モードが選択された場合や要求駆動トルクＴrdemが比較的大きい場合に、複合変速機４０全体として無段変速機として作動させる無段変速制御に優先して実行するだけでも良いが、所定の実行制限時を除いて基本的に模擬有段変速制御が実行されても良い。
【００６７】
ハイブリッド制御部９３は、走行モードとして、モータ走行モード或いはハイブリッド走行モードを走行状態に応じて選択的に成立させる。例えば、ハイブリッド制御部９３は、要求駆動パワーＰrdemが予め定められた閾値よりも小さなモータ走行領域にある場合には、モータ走行モードを成立させる一方で、要求駆動パワーＰrdemが予め定められた閾値以上となるハイブリッド走行領域にある場合には、ハイブリッド走行モードを成立させる。図４の一点鎖線Ａは、車両１０の走行用の動力源を、少なくともエンジン１４とするか、第２回転機ＭＧ２のみとするかを切り替える為の境界線である。すなわち、図４の一点鎖線Ａは、ハイブリッド走行とモータ走行とを切り替える為のハイブリッド走行領域とモータ走行領域との境界線である。この図４の一点鎖線Ａに示すような境界線を有する予め定められた関係は、車速Ｖ及び要求駆動トルクＴrdemを変数とする二次元座標で構成された動力源切替マップの一例である。尚、図４では、便宜上、この動力源切替マップをＡＴギヤ段変速マップと共に示している。
【００６８】
ハイブリッド制御部９３は、要求駆動パワーＰrdemがモータ走行領域にあるときであっても、バッテリ５４の充電状態値ＳＯＣが予め定められたエンジン始動閾値未満となる場合には、ハイブリッド走行モードを成立させる。モータ走行モードは、エンジン１４を停止した状態で第２回転機ＭＧ２により駆動トルクを発生させて走行する走行状態である。ハイブリッド走行モードは、エンジン１４を運転した状態で走行する走行状態である。前記エンジン始動閾値は、エンジン１４を強制的に始動してバッテリ５４を充電する必要がある充電状態値ＳＯＣであることを判断する為の予め定められた閾値である。
【００６９】
ハイブリッド制御部９３は、エンジン１４の運転停止時に、車両状態がモータ走行領域からハイブリッド走行領域へ遷移した場合には、又は、充電状態値ＳＯＣがエンジン始動閾値よりも低下した場合には、ハイブリッド走行モードを成立させてエンジン１４を始動する始動制御を行う。ハイブリッド制御部９３は、エンジン１４を始動するときには、第１回転機ＭＧ１によりエンジン回転速度Ｎeを上昇させつつ、エンジン回転速度Ｎeが点火可能な所定回転速度以上となったときに点火することでエンジン１４を始動する。すなわち、ハイブリッド制御部９３は、第１回転機ＭＧ１によりエンジン１４をクランキングすることでエンジン１４を始動する。
【００７０】
ここで、電子制御装置９０は、車両１０の運転状態に応じた複数の学習領域毎に、車両１０の制御に関わる操作量を学習制御によって補正する学習制御手段すなわち学習制御部９４を更に備えている。車両１０の制御に関わる操作量は、例えば有段変速部２０の変速制御における油圧制御指令信号Ｓatとなる、係合装置ＣＢの各係合圧に対応する油圧指示値である。有段変速部２０の変速制御における油圧指示値を補正する学習制御においては、車両１０の運転状態は、例えば有段変速部２０に入力される入力トルク、車速Ｖ、ＡＴギヤ段などの走行パラメータである。有段変速部２０に入力される入力トルクは、エンジン直達トルクＴdとＭＧ２トルクＴmとの合算トルクとなる、ＡＴ入力トルクＴiである。走行パラメータとしては、ＡＴ入力トルクＴiに替えてアクセル開度θaccなどを用いても良い。
【００７１】
図５は、有段変速部２０の変速制御に関する学習制御の一例を説明するタイムチャートである。図５では、有段変速部２０の変速制御としてパワーオン状態での３→４アップシフトを例示する。図５において、ｔ１時点は、アップシフト指令となる油圧制御指令信号Ｓatの出力が開始された時点を示している。この油圧制御指令信号Ｓatでは、解放側係合装置となるクラッチＣ１を解放するようにクラッチＣ１の係合油圧ＰＲc1を徐々に低下させる油圧指示値（破線参照）が出力され、係合側係合装置となるブレーキＢ１を係合するようにブレーキＢ１の係合油圧ＰＲb1を徐々に上昇させる油圧指示値（実線参照）が出力される。係合油圧ＰＲb1の油圧指示値における、急速充填油圧を出力した後の第１定圧待機圧及びイナーシャ相の開始前において第１定圧待機圧を漸増させた後の第２定圧待機圧を各々補正する学習制御が行われる。この学習制御における目標値１は、第２定圧待機圧と第１定圧待機圧との差分となる待機圧差（＝第２定圧待機圧−第１定圧待機圧）であり、目標値２は、第１定圧待機圧の漸増を開始した時点（ｔ２時点参照）からイナーシャ相が開始された時点（ｔ３時点参照）までの時間となるイナーシャ相開始時間である。この学習制御では、３→４アップシフトの終了後に、その３→４アップシフトにおける前記待機圧差及び前記イナーシャ相開始時間が各々の所定値とされるように、次回の３→４アップシフトにて用いられる第１定圧待機圧及び第２定圧待機圧が補正される。第１定圧待機圧及び第２定圧待機圧は、ＡＴ入力トルクＴiや車速Ｖなどの走行パラメータの各々に応じた複数の学習領域毎に補正され、学習値として格納される。
【００７２】
図６は、第１定圧待機圧の学習値の一例を示す図である。図７は、第２定圧待機圧の学習値の一例を示す図である。図６、図７において、各々、ＡＴ入力トルクＴiが例えば１０[％]毎に１０分割されて、複数の学習領域が構成されている。有段変速部２０の変速は、１→２アップシフト、２→３アップシフト、及び３→４アップシフトの変速の種類毎に３つに区分されている。有段変速部２０のアップシフトにおける第１定圧待機圧の学習値及び第２定圧待機圧の学習値は、各々、３０ブロックで区分された各ブロックに格納されている。学習制御による補正が一度も行われていない当初は、予め定められた初期値（デフォルト値）が各ブロックに格納されており、学習制御が行われる毎にそのときの学習領域に対応するブロックの値が最新の学習値に更新される。有段変速部２０のアップシフトの実行中にＡＴ入力トルクＴiの変化が１つのブロックにおける区域内に留まったときに学習条件が成立し、学習制御が実行される。
【００７３】
学習制御部９４は、手動運転モード及び自動運転モードの何れの運転モードにおいても、車両１０の制御に関わる操作量を補正する学習制御を行う。ところで、運転者によっては運転方法や走行ルートなどの車両１０の使用状況が偏ってしまう場合がある。このような場合、複数の学習領域全体での学習制御の機会が得られ難くされる。例えば運転者による特定の操作の頻度が多い場合、又は、同じ走行ルートを走行する頻度が多い場合、特定のアクセル開度θacc、車速Ｖ、作動油温ＴＨoil、ブレーキ操作量Ｂra、ＡＴギヤ段に偏る傾向となり易い。そうすると、学習制御が行われない学習領域があったり、又、学習値の収束までに時間が掛かる可能性がある為、車両性能を向上し難くなる可能性がある。早期に学習領域全体に亘って学習制御が実行されることが望まれる。
【００７４】
車両１０では、自動運転制御にて走行することが可能である。自動運転制御では、運転者による車両１０の使用状況に拘束されることなく目標走行状態を設定することができる。そこで、電子制御装置９０は、自動運転制御の実行中には、運転者による車両１０の使用状況では学習制御の機会が得られ難い学習領域に対応する車両１０の運転状態での走行を優先的に行う。
【００７５】
具体的には、電子制御装置９０は、学習制御によって適切な走行状態を早期に達成するという制御機能を実現する為に、更に、状態判定手段すなわち状態判定部９６を備えている。
【００７６】
状態判定部９６は、運転制御部９１により自動運転モードが成立させられているか否かに基づいて、車両１０の状態が自動運転モードに設定された状態であるか否かを判定する。
【００７７】
状態判定部９６は、車両１０の状態が自動運転モードに設定された状態であると判定した場合には、車両１０の運転状態に応じた複数の学習領域のうちの未実行領域が有るか否かを判定する。状態判定部９６は、前記未実行領域が無いと判定した場合には、車両１０の運転状態に応じた複数の学習領域のうちの既実行領域が有るか否かを判定する。前記未実行領域は、未収束領域のうちの車両１０の制御に関わる操作量の補正が一度も行われていない学習領域である。前記既実行領域は、前記未収束領域のうちの車両１０の制御に関わる操作量の補正が少なくとも一度以上行われた学習領域である。前記未収束領域は、車両１０の運転状態に応じた複数の学習領域のうちの車両１０の制御に関わる操作量の補正が収束していない学習領域である。前記未実行領域と前記既実行領域とを合わせた学習領域が前記未収束領域となる。車両１０の運転状態に応じた複数の学習領域のうちの前記未収束領域以外の学習領域が収束領域である。前記収束領域は、車両１０の運転状態に応じた複数の学習領域のうちの車両１０の制御に関わる操作量の補正が収束している学習領域である。前記操作量の補正が収束しているということは、学習制御の実行前後で、学習値の変化が所定変化未満となり、学習値が安定した状態になったということ、つまり操作量の補正後の値である学習値が収束しているということである。
【００７８】
運転制御部９１は、自動運転制御の実行中に、状態判定部９６により前記未実行領域が有ると判定されるか又は前記既実行領域が有ると判定された場合、すなわち状態判定部９６により前記未収束領域が有ると判定された場合には、前記未収束領域に対応する車両１０の運転状態での走行を行う。運転制御部９１は、自動運転制御の実行中に、状態判定部９６により前記未実行領域が無いと判定され且つ前記既実行領域が無いと判定された場合、すなわち状態判定部９６により前記未収束領域が無いと判定された場合には、現在の自動運転制御での状態を継続する。このように、運転制御部９１は、自動運転制御の実行中には、前記未収束領域に対応する車両１０の運転状態での走行及び前記収束領域に対応する車両１０の運転状態での走行のうちで、前記未収束領域に対応する車両１０の運転状態での走行を優先して選択する。
【００７９】
運転制御部９１は、自動運転制御の実行中に、状態判定部９６により前記未実行領域が有ると判定された場合には、前記未実行領域に対応する車両１０の運転状態での走行を行う。運転制御部９１は、自動運転制御の実行中に、状態判定部９６により前記未実行領域が無いと判定されたときに、状態判定部９６により前記既実行領域が有ると判定された場合には、前記既実行領域に対応する車両１０の運転状態での走行を行う。このように、運転制御部９１は、自動運転制御の実行中には、前記未実行領域に対応する車両１０の運転状態での走行及び前記既実行領域に対応する車両１０の運転状態での走行のうちで、前記未実行領域に対応する車両１０の運転状態での走行を優先して選択する。
【００８０】
現在の自動運転制御での状態を継続すると前記未収束領域に対応する車両１０の運転状態での走行を行うことができず、前記未収束領域における学習制御を行うことができないのであれば、車両１０の走行性能の変更が必要となる。ここでの車両１０の走行性能は、例えば自動運転制御における目標駆動トルクである。目標駆動トルクが変われば前後加速度Ｇxが変わる。例えば、運転制御部９１は、現在の目標ルートにおいて目標駆動トルクを通常よりも緩やかに変化させたりして走行性能を変更することで、ＡＴ入力トルクＴiや車速Ｖなどの走行パラメータつまり車両１０の運転状態を通常時に対して変更することができる。ここでの走行パラメータの変更は通常時に対する変更であるので、車速Ｖがあえて略一定に維持されること、又は、ＡＴ入力トルクＴiが略一定にされることで通常時に対して走行パラメータが変更される場合もある。又は、運転制御部９１は、現在の目標ルートを別の目標ルートに変更することで、現在の目標ルートにおける目標駆動トルクを別の目標ルートにおける目標駆動トルクに変更して走行性能を変更することができる。目標ルートを変更する場合、目標駆動トルクは、変更後の目標ルートにおける通常の目標駆動トルクのままとされる。
【００８１】
上述したような考え方は、前記未収束領域に含まれる前記未実行領域及び前記既実行領域の各々にも適用できる。運転制御部９１は、自動運転制御の実行中には、車両１０の運転状態を、前記選択した走行を実現する車両１０の運転状態に変更する。又は、運転制御部９１は、自動運転制御の実行中には、現在の走行ルートを、前記選択した走行を実現する別の走行ルートに変更する。
【００８２】
走行性能を変更する場合、できるだけ走行ルートを変更しない方が良いと考えられる。運転制御部９１は、自動運転制御における現在の走行ルートにおいて前記選択した走行を実現する車両１０の運転状態に変更することができない場合には、自動運転制御における現在の走行ルートを、前記選択した走行を実現する別の走行ルートに変更する。
【００８３】
自動運転制御の実行中は、手動運転制御の実行中と比べて学習制御を許可する学習許可条件が成立し易くされることで、前記未収束領域における学習制御が行われ易くなる。運転制御部９１は、自動運転制御の実行中には、学習制御部９４による学習制御を許可する学習許可条件の成立を促進する所定の運転モードを実行する。上記学習許可条件は、例えば作動油温ＴＨoilが所定油温以上であるという条件である。上記所定油温は、例えば係合装置ＣＢの油圧応答性が悪化し易い作動油温ＴＨoilの範囲として予め定められた低油温領域における上限値である。運転制御部９１は、自動運転制御の実行中には、前記所定の運転モードとして、作動油温ＴＨoilを上昇させる運転モードを実行する。
【００８４】
図８は、電子制御装置９０の制御作動の要部すなわち車両１０の制御に関わる操作量を補正する学習制御によって適切な走行状態を早期に達成する為の制御作動を説明するフローチャートであり、例えば繰り返し実行される。
【００８５】
図８において、先ず、状態判定部９６の機能に対応するステップ（以下、ステップを省略する）Ｓ１０において、車両１０の状態が自動運転モードに設定された状態であるか否かが判定される。このＳ１０の判断が否定される場合は、本ルーチンが終了させられる。このＳ１０の判断が肯定される場合は状態判定部９６の機能に対応するＳ２０において、前記未収束領域のうちの前記未実行領域が有るか否かが判定される。このＳ２０の判断が肯定される場合は状態判定部９６の機能に対応するＳ３０において、車両１０の走行性能の変更が必要であるか否かが判定される。つまり、現在の自動運転制御での状態では前記未実行領域における学習制御が行われないか否かが判定される。このＳ３０の判断が否定される場合は運転制御部９１及び学習制御部９４の機能に対応するＳ４０において、現在の自動運転制御での状態が継続され、前記未実行領域に対応する車両１０の運転状態での自動運転制御による走行において前記未実行領域における学習制御が行われる。上記Ｓ３０の判断が肯定される場合は状態判定部９６の機能に対応するＳ５０において、走行ルートの変更が必要であるか否かが判定される。つまり、現在の走行ルートでは前記未実行領域に対応する車両１０の運転状態に変更することができないか否かが判定される。このＳ５０の判断が否定される場合は運転制御部９１及び学習制御部９４の機能に対応するＳ６０において、現在の目標ルートにおいてＡＴ入力トルクＴiや車速Ｖなどの走行パラメータが通常時に対して変更させられ、前記未実行領域に対応する車両１０の運転状態で走行させられて、自動運転制御において前記未実行領域における学習制御が行われる。上記Ｓ５０の判断が肯定される場合は運転制御部９１及び学習制御部９４の機能に対応するＳ７０において、現在の目標ルートが別の目標ルートに変更させられ、つまり走行ルートが変更させられ、前記未実行領域に対応する車両１０の運転状態で走行させられて、自動運転制御において前記未実行領域における学習制御が行われる。上記Ｓ２０の判断が否定される場合は状態判定部９６の機能に対応するＳ８０において、前記未収束領域のうちの前記既実行領域が有るか否かが判定される。このＳ８０の判断が否定される場合は、本ルーチンが終了させられる。このＳ８０の判断が肯定される場合は状態判定部９６の機能に対応するＳ９０において、車両１０の走行性能の変更が必要であるか否かが判定される。つまり、現在の自動運転制御での状態では前記既実行領域における学習制御が行われないか否かが判定される。このＳ９０の判断が否定される場合は運転制御部９１及び学習制御部９４の機能に対応するＳ１００において、現在の自動運転制御での状態が継続され、前記既実行領域に対応する車両１０の運転状態での自動運転制御による走行において前記既実行領域における学習制御が行われる。上記Ｓ９０の判断が肯定される場合は状態判定部９６の機能に対応するＳ１１０において、走行ルートの変更が必要であるか否かが判定される。つまり、現在の走行ルートでは前記既実行領域に対応する車両１０の運転状態に変更することができないか否かが判定される。このＳ１１０の判断が否定される場合は運転制御部９１及び学��制御部９４の機能に対応するＳ１２０において、現在の目標ルートにおいてＡＴ入力トルクＴiや車速Ｖなどの走行パラメータが通常時に対して変更させられ、前記既実行領域に対応する車両１０の運転状態で走行させられて、自動運転制御において前記既実行領域における学習制御が行われる。上記Ｓ１１０の判断が肯定される場合は運転制御部９１及び学習制御部９４の機能に対応するＳ１３０において、走行ルートが変更させられ、前記既実行領域に対応する車両１０の運転状態で走行させられて、自動運転制御において前記既実行領域における学習制御が行われる。
【００８６】
上述のように、本実施例によれば、自動運転制御の実行中には、前記未収束領域に対応する車両１０の運転状態での走行及び前記収束領域に対応する車両１０の運転状態での走行のうちで、前記未収束領域に対応する車両１０の運転状態での走行が優先して選択されるので、運転者による車両１０の使用状況に拘わらず、車両１０の制御に関わる操作量を補正する学習制御が学習領域全体に亘って実行され易くなる。よって、車両１０の制御に関わる操作量を補正する学習制御によって、適切な走行状態を早期に達成することができる。
【００８７】
また、本実施例によれば、前記未実行領域に対応する車両１０の運転状態での走行及び前記既実行領域に対応する車両１０の運転状態での走行のうちで、前記未実行領域に対応する車両１０の運転状態での走行が優先して選択されるので、車両１０の制御に関わる操作量の補正が一度も行われていない学習領域における学習制御が早期に実行され得る。
【００８８】
また、本実施例によれば、自動運転制御の実行中には、車両１０の運転状態が前記選択された走行を実現する車両１０の運転状態に変更されるので、前記未収束領域における学習制御が促進され得る。又、適切な順番で学習制御を進めることができる。これにより、学習領域が偏って学習制御が行われることが抑制される。又、同じ学習領域において、例えば第１定圧待機圧の学習制御と第２定圧待機圧の学習制御との学習バランスすなわち学習制御の順番が偏ることが抑制される。
【００８９】
また、本実施例によれば、自動運転制御における現在の走行ルートにおいて前記選択された走行を実現する車両１０の運転状態に変更することができない場合には、その現在の走行ルートが、その選択された走行を実現する別の走行ルートに変更されるので、前記未収束領域における学習制御を行うことが可能な走行が実現され得る。
【００９０】
また、本実施例によれば、自動運転制御の実行中には、現在の走行ルートが、前記選択された走行を実現する別の走行ルートに変更されるので、前記未収束領域における学習制御を行うことが可能な走行が実現され得る。これにより、前記未収束領域における学習制御が促進され得る。
【００９１】
また、本実施例によれば、自動運転制御の実行中には、学習制御部９４による学習制御を許可する学習許可条件の成立を促進する所定の運転モードが実行されるので、早期に学習制御を実行することができる。
【００９２】
以上、本発明の実施例を図面に基づいて詳細に説明したが、本発明はその他の態様においても適用される。
【００９３】
例えば、前述の実施例では、学習制御によって補正する車両１０の制御に関わる操作量として係合装置ＣＢの各係合圧に対応する油圧指示値を例示したが、この態様に限らない。例えば、回生制御時を含むＭＧ２トルクＴmの出し方を学習制御によって補正するのであれば、車両１０の制御に関わる操作量は第２回転機ＭＧ２に対するトルク指示値であっても良い。
【００９４】
また、前述の実施例では、図６、図７に示すように、第１定圧待機圧の補正後の値及び第２定圧待機圧の補正後の値が各々学習値として各ブロックに格納されたが、この態様に限らない。例えば、第１定圧待機圧の初期値からの補正分及び第２定圧待機圧の初期値からの補正分が各々学習値として各ブロックに格納される態様であっても良い。
【００９５】
また、前述の実施例において、前記未収束領域に対応する車両１０の運転状態での走行が優先して選択される際に実行中とされている自動運転制御には、操舵については自動的に行われないが加減速については自動的に行われるクルーズ制御などを含めても良い。但し、クルーズ制御の場合には、走行ルートを変更することによる走行性能の変更は行われない。
【００９６】
また、前述の実施例において、無段変速部１８は、差動機構３２の回転要素に連結されたクラッチ又はブレーキの制御により差動作用が制限され得る変速機構であっても良い。又、差動機構３２は、ダブルピニオン型の遊星歯車装置であっても良い。又、差動機構３２は、複数の遊星歯車装置が相互に連結されることで４つ以上の回転要素を有する差動機構であっても良い。又、差動機構３２は、エンジン１４によって回転駆動されるピニオンと、そのピニオンに噛み合う一対のかさ歯車に第１回転機ＭＧ１及び中間伝達部材３０が各々連結された差動歯車装置であっても良い。又、差動機構３２は、２以上の遊星歯車装置がそれを構成する一部の回転要素で相互に連結された構成において、その遊星歯車装置の回転要素にそれぞれエンジン、回転機、駆動輪が動力伝達可能に連結される機構であっても良い。
【００９７】
また、前述の実施例において、車両１０は、無段変速部２０を備えず、有段変速部２０を単独で備えるような車両であっても良い。又は、車両１０は、エンジン及び回転機の動力が自動変速機を介して駆動輪へ伝達されるパラレル式のハイブリッド車両であっても良い。又は、車両１０は、エンジンの動力によって駆動させられる発電機の発電電力及び／又はバッテリの電力で駆動させられる回転機の動力が自動変速機を介して駆動輪へ伝達されるシリーズ式のハイブリッド車両であっても良い。このようなシリーズ式のハイブリッド車両においては、駆動輪に対して機械的にエンジントルクが伝達されないようにエンジンが設けられていても良い。つまり、シリーズ式のハイブリッド車両においては、エンジンは、駆動輪に機械的に動力伝達可能に連結されていなくても良く、走行用の動力源でなくても良い。上記自動変速機としては、有段変速部２０のような遊星歯車式の自動変速機でも良いし、又は、同期噛合型平行２軸式自動変速機、その同期噛合型平行２軸式自動変速機であって入力軸を２系統備える公知のＤＣＴ（Dual Clutch Transmission）などの自動変速機であっても良い。又は、自動変速機を備えない車両、例えば上記シリーズ式のハイブリッド車両において自動変速機を備えない車両、バッテリの電力によって駆動用の回転機を駆動することでモータ走行することが可能な電動車両などであっても良い。このような電動車両においては、例えば回生制御時を含む回転機の出力トルクの出し方などが学習制御によって補正される。要は、動力源と動力伝達装置とを備えた車両であれば、本発明を適用することができる。
【００９８】
尚、上述したのはあくまでも一実施形態であり、本発明は当業者の知識に基づいて種々の変更、改良を加えた態様で実施することができる。
【符号の説明】
【００９９】
１０：車両
１２：動力伝達装置
１４：エンジン（動力源）
９０：電子制御装置（制御装置）
９１：運転制御部
９４：学習制御部
ＭＧ２：第２回転機（動力源）
【図１】
2020104584.tif 000003
【図２】
2020104584.tif 000004
【図３】
2020104584.tif 000005
【図４】
2020104584.tif 000006
【図５】
2020104584.tif 000007
【図６】
2020104584.tif 000008
【図７】
2020104584.tif 000009
【図８】
2020104584.tif 000010